【手続補正書】
【提出日】平成19年7月25日(2007.7.25)
【手続補正１】
【補正対象書類名】明細書
【補正対象項目名】特許請求の範囲
【補正方法】変更
【補正の内容】
【特許請求の範囲】
【請求項１】  ＴＶ番組の再生時に得られる情報に基づいて利用者による当該番組の興味の程度を求めるＴＶ番組視聴装置であって、ＴＶ番組を構成する情報を記憶する装置と、該記憶手段から前記ＴＶ番組を構成する情報を取り出し再生する手段と、再生中に番組表示の一時停止や、表示速度の変更を操作する再生操作手段と、該再生操作手段による操作の内容を記憶する操作内容記憶手段と、該操作内容記憶手段に記録された操作内容に基づいて利用者による当該番組の興味の程度を求める手段とを具備したことを特徴とするＴＶ番組視聴装置。
【請求項２】  前記番組の興味の程度を求める手段は、利用者が再生したＴＶ番組の時間を基に興味の程度を求めることを特徴とする請求項１に記載のＴＶ番組視聴装置。
【請求項３】  前記番組の興味の程度を求める手段は、利用者が再生したＴＶ番組の再生回数を基に興味の程度を求めることを特徴とする請求項１に記載のＴＶ番組視聴装置。
【請求項４】  前記番組の興味の程度を求める手段は、利用者が再生したＴＶ番組の再生速度を基に興味の程度を求めることを特徴とする請求項１に記載のＴＶ番組視聴装置。
【請求項５】  前記操作内容記憶手段は、再生中に番組表示の一時停止や、表示速度の変更を操作する再生操作の内容と共に、操作発生時に再生していた番組の記録時点での時刻情報を記憶することを特徴とする請求項１に記載のＴＶ番組視聴装置。
【請求項６】  前記操作内容記憶手段に対して、その記憶内容を操作が発生した時点で再生していたＴＶ番組の時刻情報の順番で並べなおす手段と、該並べなおした記憶内容を基に、利用者が再生したＴＶ番組の範囲の時間を算出する手段とを有し、該算出された利用者が再生したＴＶ番組の範囲の時間を基に、当該ＴＶ番組に対する利用者の興味の程度を求めることを特徴とする請求項５に記載のＴＶ番組視聴装置。
【請求項７】  前記操作内容記憶手段に対して、その記憶内容を操作が発生した時点で再生していたＴＶ番組の時刻情報の順番で並べなおす手段と、該並べなおした記憶内容を基に、利用者が繰返し発生したＴＶ番組の範囲の再生回数を算出する手段とを有し、該利用者が繰返し再生したＴＶ番組の範囲の再生回数を基に、当該ＴＶ番組に対する利用者の興味の程度を求めることを特徴とする請求項５に記載のＴＶ番組視聴装置。
【請求項８】  前記操作内容記憶手段に対して、その記憶内容を操作が発生した時点で再生していたＴＶ番組の時刻情報の順番で並べなおす手段と、該並べなおした記憶内容を基に、利用者が再生したＴＶ番組の範囲を再生時の速度別に算出する手段とを有し、該再生時の速度別に利用者が再生したＴＶ番組の範囲を基に、当該ＴＶ番組に対する利用者の興味の程度を求めることを特徴とする請求項５に記載のＴＶ番組視聴装置。
【請求項９】  請求項１〜８に記載のいずれか１項に記載のＴＶ番組視聴装置において、該ＴＶ番組視聴装置は、電子番組ガイド（ＥＰＧ）を取得する手段と、該取得されたＥＰＧを記憶する手段と、該記憶しているＥＰＧを検索する手段と、現在の日時を取得する手段と、利用者のＴＶ番組視聴操作を取得する手段と、利用者が視聴した番組の情報を記録する手段と、該利用者が視聴した番組の情報に基づき、前記利用者が視聴した番組に重み付けを行う手段と、利用者が視聴した番組の情報に基づき、お薦めのＴＶ番組を提示する手段と、前記番組別の重み付けに基づいて、前記お薦めのＴＶ番組の提示の際の提示順位を変更する手段とを有し、前記操作内容記憶手段の記録内容に基いて求めた興味の程度によって、前記番組別の重みを修正する手段とを備えたことを特徴とするＴＶ番組視聴装置。
【手続補正２】
【補正対象書類名】明細書
【補正対象項目名】００１３
【補正方法】変更
【補正の内容】
【００１３】
【課題を解決するための手段】
本発明は、ＴＶ番組の再生時に得られる情報に基づいて利用者による当該番組の興味の程度を求めるＴＶ番組視聴装置であって、ＴＶ番組を構成する情報を記憶する装置と、該記憶手段から前記ＴＶ番組を構成する情報を取り出し再生する手段と、再生中に番組表示の一時停止や、表示速度の変更を操作する再生操作手段と、該再生操作手段による操作の内容を記憶する操作内容記憶手段と、該操作内容記憶手段に記録された操作内容に基づいて利用者による当該番組の興味の程度を求める手段とを具備したＴＶ番組視聴装置である。
さらに、本発明は、前記ＴＶ番組視聴装置において、前記番組の興味の程度を求める手段は、利用者が再生したＴＶ番組の時間を基に興味の程度を求めることを特徴としたものである。
【手続補正３】
【補正対象書類名】明細書
【補正対象項目名】００１４
【補正方法】変更
【補正の内容】
【００１４】
さらに、本発明は、前記ＴＶ番組視聴装置において、前記番組の興味の程度を求める手段は、利用者が再生したＴＶ番組の再生回数を基に興味の程度を求めることを特徴としたものである。
さらに、本発明は、前記ＴＶ番組視聴装置において、前記番組の興味の程度を求める手段は、利用者が再生したＴＶ番組の再生速度を基に興味の程度を求めることを特徴としたものである。
さらに、本発明は、前記ＴＶ番組視聴装置において、前記操作内容記憶手段は、再生中に番組表示の一時停止や、表示速度の変更を操作する再生操作の内容と共に、操作発生時に再生していた番組の記録時点での時刻情報を記憶することを特徴としたものである。
【手続補正４】
【補正対象書類名】明細書
【補正対象項目名】００１５
【補正方法】変更
【補正の内容】
【００１５】
さらに、本発明は、前記ＴＶ番組視聴装置において、前記操作内容記憶手段に対して、その記憶内容を操作が発生した時点で再生していたＴＶ番組の時刻情報の順番で並べなおす手段と、該並べなおした記憶内容を基に、利用者が再生したＴＶ番組の範囲の時間を算出する手段とを有し、該算出された利用者が再生したＴＶ番組の範囲の時間を基に、当該ＴＶ番組に対する利用者の興味の程度を求めることを特徴としたものである。
【手続補正５】
【補正対象書類名】明細書
【補正対象項目名】００１６
【補正方法】変更
【補正の内容】
【００１６】
さらに、本発明は、前記ＴＶ番組視聴装置において、前記操作内容記憶手段に対して、その記憶内容を操作が発生した時点で再生していたＴＶ番組の時刻情報の順番で並べなおす手段と、該並べなおした記憶内容を基に、利用者が繰返し発生したＴＶ番組の範囲の再生回数を算出する手段とを有し、該利用者が繰返し再生したＴＶ番組の範囲の再生回数を基に、当該ＴＶ番組に対する利用者の興味の程度を求めることを特徴としたものである。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】変更
【補正の内容】
【００１８】
さらに、本発明は、前記ＴＶ番組視聴装置において、前記操作内容記憶手段に対して、その記憶内容を操作が発生した時点で再生していたＴＶ番組の時刻情報の順番で並べなおす手段と、該並べなおした記憶内容を基に、利用者が再生したＴＶ番組の範囲を再生時の速度別に算出する手段とを有し、該再生時の速度別に利用者が再生したＴＶ番組の範囲を基に、当該ＴＶ番組に対する利用者の興味の程度を求めることを特徴としたものである。
さらに、本発明は、前記ＴＶ番組視聴装置において、該ＴＶ番組視聴装置は、電子番組ガイド（ＥＰＧ）を取得する手段と、該取得されたＥＰＧを記憶する手段と、該記憶しているＥＰＧを検索する手段と、現在の日時を取得する手段と、利用者のＴＶ番組視聴操作を取得する手段と、利用者が視聴した番組の情報を記録する手段と、該利用者が視聴した番組の情報に基づき、前記利用者が視聴した番組に重み付けを行う手段と、利用者が視聴した番組の情報に基づき、お薦めのＴＶ番組を提示する手段と、前記番組別の重み付けに基づいて、前記お薦めのＴＶ番組の提示の際の提示順位を変更する手段とを有し、前記操作内容記憶手段の記録内容に基いて求めた興味の程度によって、前記番組別の重みを修正する手段とを備えたものである。
【手続補正８】
【補正対象書類名】明細書
【補正対象項目名】００４９
【補正方法】変更
【補正の内容】
【００４９】
以後、ステップＳ２０４，Ｓ２０５により、利用者が、再生操作手段６を操作する毎に、番組再生手段３から、現在、再生している箇所が記録された時刻と、再生速度を求め、その操作内容と、時刻情報、再び再生速度の組を、操作記憶装置１５に記録する。
このとき、利用者が再生操作手段６で操作した順番で、再生操作記録手段１４に記録する。
【手続補正９】
【補正対象書類名】明細書
【補正対象項目名】００８５
【補正方法】変更
【補正の内容】
【００８５】
次いで、変数ＶＣ３が１．５以上か否かを判定し（ステップＳ６０６）、変数ＶＣ３が１．５以上であれば、ステップＳ６１０へ進む。
ステップＳ６１０では、変数ＶＣ５と変数ＶＣ４の差を計算し、その差分を、変数ＶＣ２に加算する。
そして、再び、ステップＳ６０２の処理へ戻る。
【手続補正１０】
【補正対象書類名】明細書
【補正対象項目名】０１０２
【補正方法】変更
【補正の内容】
【０１０２】
ステップＳ８０７では、変数ＶＢ２の値を、重み算出手段１９へ出力し、再生回数取得手段１７の処理は終了する。
一方、操作記憶装置１５から全てを読み出してなかった場合、即ち、まだ、新たに読み出すことができた場合、ステップＳ８０４に進む。
ステップＳ８０４では、ステップＳ８０２の処理で読み出した再生速度が、０より大きいか否かを判定し、０より大きい場合、ステップＳ８０５に進み、変数ＶＢ１の値をインクリメントする。
ステップＳ８０４において、ステップＳ８０２の処理で読み出した、再生速度が、０の場合、ステップＳ８０８に進み、ステップＳ８０２の処理に戻る。
【手続補正１１】
【補正対象書類名】明細書
【補正対象項目名】０１０３
【補正方法】変更
【補正の内容】
【０１０３】
ステップＳ８０６では、変数ＶＢ１が変数ＶＢ２よりも大きいか否かを判定し、変数ＶＢ１が変数ＶＢ２よりも大きい場合、ステップＳ８０８に進み、変数ＶＢ１の値をＶＢ２へ格納し、再びステップＳ８０２の処理へ戻る。
ステップＳ８０６において、変数ＶＢ１が変数ＶＢ２以下である場合、ステップＳ８０２の処理へ戻る。
【手続補正１２】
【補正対象書類名】明細書
【補正対象項目名】０１０５
【補正方法】変更
【補正の内容】
【０１０５】
次に、ステップＳ８０２で、操作記憶装置１５の記録内容を、先頭から順番に読み取る。
そして、ステップＳ８０４〜Ｓ８０６，ステップＳ８０８で、読み取った記録内容の、再生速度に注目する。
再生速度が０より大きい場合、変数ＶＢ１の値をインクリメントし、変数ＶＢ１と変数ＶＢ２とを比較する。
変数ＶＢ１が大きい場合、変数ＶＢ１の値を、変数ＶＢ２に格納する。
変数ＶＢ１は、当該再生箇所の再生回数を保持している。
再生速度が０より大きい場合、その箇所は再生が開始された箇所である。
同様に、再生速度が０の場合、その箇所は再生が終了した箇所である。
変数ＶＢ２は、変数ＶＢ１の最大値を保持しており、この値は、再生した範囲における繰り返し再生回数の最大値である。
【手続補正１３】
【補正対象書類名】明細書
【補正対象項目名】０１１５
【補正方法】変更
【補正の内容】
【０１１５】
そして、ステップＳ９０３で、ステップ２で得た再生結果を、以下の各変数に格納する。
ステップＳ７０８（図７参照）の処理で、変数ＶＡ２に格納していた、タイムシフト再生中に実際に再生した範囲の時間を、変数ＶＸ１に格納する。
ステップＳ８０７（図８参照）の処理で、変数ＶＢ２に格納していた、タイムシフト再生中に繰り返し再生した回数の最大値を、変数ＶＸ２に格納する。
ステップＳ６０８（図６参照）の処理で、変数ＶＣ１に格納していた、タイムシフト再生中にスロー再生した時間の積算値を、変数ＶＸ３に格納する。
ステップＳ６０８の処理で、変数ＶＣ２に格納していた、タイムシフト再生中に高速再生した時間の積算値を、変数ＶＸ４に格納する。
【手続補正１４】
【補正対象書類名】図面
【補正対象項目名】図８
【補正方法】変更
【補正の内容】
【図８】
2002044542.tif 000001